(57)【要約】【課題】コネクタの長さを短縮すること。【解決手段】コネクタ２２のハウジング３１は、対象物としての機器ケース１１の取付孔１１Ｘに嵌め入れられる固定部４１と、固定部４１の内側端面４１ｂから突出する角筒状のフード部４２とを有している。固定部４１の外周面にはシールリング３５を装着する装着溝４１ａが固定部４１の全周に亘って形成されている。固定部４１には収容凹部４３が形成されている。コネクタ２２は、収容凹部４３の底面４３ｂから突出するようにハウジング３１に固定された複数の端子３２を有している。収容凹部４３とフード部４２の内側部分は、機器ケース１１側のコネクタが挿入されるコネクタ結合室５１を形成する。そして、複数の端子３２の延在方向と直交する方向から視て、装着溝４１ａは、複数の端子３２において収容凹部４３の底面４３ｂから突出する部分と重なるように設けられている。【選択図】図３
2018107017.tif 000002
【特許請求の範囲】
【請求項１】
対象物の取付孔に嵌め入れられ、前記取付孔との間を封止するシールリングを装着する装着溝が外周面の全周に亘って形成され、内側端面から収容凹部が形成された固定部と、
前記固定部の内側端面から突出された筒状のフード部と、
前記収容凹部の底面から突出するように固定された複数の端子と、
を有し、
前記収容凹部と前記フード部とにより前記対象物のコネクタが挿入されるコネクタ結合室が形成され、
前記複数の端子の延在方向と直交する方向から視て、前記装着溝は、前記複数の端子において収容凹部の底面から突出する部分と重なるように設けられたこと、
を特徴とするコネクタ。
【請求項２】
前記収容凹部は、前記収容凹部の底面が前記装着溝に対して前記フード部と反対側に位置するように形成されていること、を特徴とする請求項１に記載のコネクタ。
【発明の詳細な説明】
【技術分野】
【０００１】
本発明は、コネクタに関する。
【背景技術】
【０００２】
従来、車両用のコネクタとしては、例えばトランスミッションケース等のオイルが収容される機器ケースに取り付けられて、機器ケースの内部に配置されている電気機器と機器ケースの外部の制御回路等とを接続する中継コネクタが知られている（例えば、特許文献１参照）。
【先行技術文献】
【特許文献】
【０００３】
【特許文献１】特開２０１３−１５７２５６号公報
【発明の概要】
【発明が解決しようとする課題】
【０００４】
ところで、上記のような中継コネクタが取り付けられる機器の小型化や省スペース化が進められ、それに応じて中継コネクタの長さの短縮が求められている。
本発明は上記問題点を解決するためになされたものであって、その目的は、コネクタの長さを短縮することにある。
【課題を解決するための手段】
【０００５】
上記課題を解決するコネクタは、対象物の取付孔に嵌め入れられ、前記取付孔との間を封止するシールリングを装着する装着溝が外周面の全周に亘って形成され、内側端面から収容凹部が形成された固定部と、前記固定部の内側端面から突出された筒状のフード部と、前記収容凹部の底面から突出するように固定された複数の端子と、を有し、前記収容凹部と前記フード部とにより前記対象物のコネクタが挿入されるコネクタ結合室が形成され、前記複数の端子の延在方向と直交する方向から視て、前記装着溝は、前記複数の端子において収容凹部の底面から突出する部分と重なるように設けられてなる。
【０００６】
この構成によれば、複数の端子の延在方向と直交する方向から視て、装着溝は、複数の端子において収容凹部の底面から突出する部分と重なるように設けられている。従って、対象物のコネクタは、複数の端子の延在方向と直交する方向から視て、装着溝と重なる端子の部分に接続されるため、対象物のコネクタの先端は、取付孔に嵌め入れられた固定部まで張り込む。このため、コネクタの長さを短縮することができる。
【０００７】
上記のコネクタにおいて、前記収容凹部は、前記収容凹部の底面が前記装着溝に対して前記フード部と反対側に位置するように形成されていることが好ましい。
【発明の効果】
【０００８】
本発明のコネクタによれば、長さを短縮することができる。
【図面の簡単な説明】
【０００９】
【図１】コネクタの適用例を示す機器ケース及び制御ユニットの概略図。
【図２】コネクタの適用例を示す制御ユニットの概略平面図。
【図３】コネクタの適用例を示す機器ケース及び制御ユニットの一部断面図。
【図４】コネクタの適用例を示す制御ユニットの概略斜視図。
【発明を実施するための形態】
【００１０】
以下、各形態を説明する。
なお、添付図面は、理解を容易にするために構成要素を拡大して示している場合がある。構成要素の寸法比率は実際のものと、または別の図面中のものと異なる場合がある。
【００１１】
図１に示すように、対象物としての機器ケース１１の上部に、制御ユニット１２が例えばネジ等により固定されている。機器ケース１１は、例えばトランスミッションケースであり、内部にモータやセンサ等の電気部品が配設されている。制御ユニット１２は、コネクタ２２を有し、そのコネクタ２２は機器ケース１１の取付孔に挿入されている。制御ユニット１２には機器ケース１１内に配設された電機部品と接続される制御回路等が収容されている。制御回路等は、コネクタ２２に配設された端子を介して機器ケース１１内の電気部品と接続される。
【００１２】
図２は、機器ケース１１（図１参照）から視た制御ユニット１２を示す。
図３は、制御ユニット１２のハウジング２１と、ハウジング２１と一体的に形成されたコネクタ２２と、機器ケース１１の一部断面を示す。なお、図２に示すハウジング２１は、例えば箱状に形成されて制御回路等を収容するハウジングの一部であり、コネクタ２２が一体的に形成されている部分である。
【００１３】
図３において、コネクタ２２は、機器ケース１１の外側（図３において上側）から、機器ケース１１の取付孔１１Ｘに挿入される。
コネクタ２２は、ハウジング３１と、複数の端子３２と、シール部３３とを有している。
【００１４】
図３及び図４に示すように、ハウジング３１は、取付孔１１Ｘに配設される固定部４１を有している。図４に示すように、固定部４１は、略円板状に形成されている。固定部４１の外周面には、全周に亘って装着溝４１ａが形成されている。装着溝４１ａには、シールリング３５が配設されている。図３に示すように、シールリング３５により、ハウジング３１（固定部４１）が取付孔１１Ｘに対して液密に嵌着されている。
【００１５】
図３に示すように、コネクタ２２は、固定部４１の内側端面４１ｂと、機器ケース１１の内面１１ａとが略面一となるように、機器ケース１１に固定されている。
コネクタ２２は、固定部４１の内側端面４１ｂ（対象物としての機器ケース１１の内側に向かう面）から突出するフード部４２を有している。フード部４２は、概略角筒状に形成されている。
【００１６】
図３に示すように、フード部４２は、機器ケース１１の内部に挿入される。従って、機器ケース１１の取付孔１１Ｘは、フード部４２を遊挿可能な大きさに形成されている。そして、その機器ケース１１の取付孔１１Ｘに配設される固定部４１は、取付孔１１Ｘとの間においてシールリング３５により液密するように形成されている。この固定部４１の大きさ（直径）は、図２に示すように、角筒状のフード部４２を内包する円の直径にて設定されている。
【００１７】
固定部４１には、収容凹部４３が形成されている。収容凹部４３は、矩形状に、内側端面４１ｂから外側（機器ケース１１の外側）に向かって形成されている。つまり、収容凹部４３の内側側面４３ａは、平面視において矩形の空間を形成するように形成されている。そして、収容凹部４３の内側側面４３ａは、フード部４２の内側側面４２ａと連続的に、つまり収容凹部４３の内側側面４３ａとフード部４２の内側側面４２ａとが面一となるように形成されている。収容凹部４３とフード部４２の内側の空間部分は、コネクタ結合室５１を形成している。
【００１８】
ハウジング３１には、複数の端子３２が固定されている。端子３２は、ハウジング３１に、インサート成形によって保持されている。端子３２の第１の端部３２ａは、収容凹部４３の底面４３ｂから突出している。端子３２の第２の端部３２ｂは、ハウジング３１の上方であって、本実施形態では、制御ユニット１２のハウジング内に突出している。収容凹部４３内に突出する端子３２の第１の端部３２ａは、このコネクタ結合室５１（収容凹部４３）に挿入される機器側コネクタに内設された端子（雌型端子）と接続される。
【００１９】
図３に示すように、固定部４１に形成された収容凹部４３は、その底面４３ｂがシールリング３５の配設位置よりも、上方（機器ケース１１から視て外側）に設定されている。機器側コネクタの挿入方向（図３において上下方向）が直交する平面において、収容凹部４３とシールリング３５とが重なるように、シールリング３５の配設位置及び収容凹部４３が形成されている。なお、機器側コネクタの挿入方向は、コネクタ２２の端子３２が突出する方向と逆方向且つ平行である。
【００２０】
複数の端子３２は、収容凹部４３の底面４３ｂから機器ケース１１の内側に向かって突出するようにハウジング３１に固定されている。つまり、複数の端子３２の延在方向と直交する方向から視て、収容凹部４３の底面４３ｂから突出する端子３２の部分と、シールリング３５が装着される装着溝４１ａとが重なる。言い換えると、装着溝４１ａは、複数の端子３２の延在方向と直交する方向から視て、収容凹部４３の底面４３ｂから突出する端子３２の部分と重なるように設けられている。
【００２１】
図４に示すように、本実施形態において、フード部４２の内側には、２つの隔壁４４ａ，４４ｂが形成されている。図３に示すように、これらの隔壁４４ａ，４４ｂは、収容凹部４３に向かって延び、収容凹部４３の底面４３ｂに接続されている。つまり、図２及び図４に示すように、本実施形態において、コネクタ結合室５１は、２つの隔壁４４ａ，４４ｂにより、３つのコネクタ挿入部５１ａ，５１ｂ，５１ｃに区画されている。
【００２２】
図３に示すように、ハウジング３１は、シール部３３を収容する収容凹部３１ｂを有している。シール部３３は、エポキシ樹脂等のポッティング材よりなり、ハウジング３１から上方へ突出する端子３２の根本部分と密着し、ハウジング３１と端子３２の間を液密に封止する。
【００２３】
（作用）
次に、このコネクタ２２の作用を説明する。
コネクタ２２のハウジング３１は、機器ケース１１の取付孔１１Ｘに配設される固定部４１と、固定部４１の内側端面４１ｂから機器ケース１１内に突出するフード部４２とを有している。固定部４１には、対象物としての機器ケース１１の内側となる内側端面４１ｂから外側に向かって収容凹部４３が形成されている。
【００２４】
そして、収容凹部４３とフード部４２により囲まれた空間とにより、コネクタ結合室５１が形成される。このコネクタ結合室５１において、複数の端子３２は、収容凹部４３の底面４３ｂから機器ケース１１の内側に向かって突出するようにハウジング３１に固定されている。装着溝４１ａは、複数の端子３２の延在方向と直交する方向から視て、収容凹部４３の底面４３ｂから突出する端子３２の部分と重なるように設けられている。機器側コネクタは、収容凹部４３の底面４３ｂから突出する端子３２の部分に接続されるように、コネクタ結合室５１に挿入される。つまり、機器側コネクタの先端部分は、固定部４１の収容凹部４３内、つまり機器ケース１１の内側から、その機器ケース１１の取付孔１１Ｘ内に配設される。このため、機器ケース１１内において、内側に突出する短い部分（本実施形態ではフード部４２）を有するコネクタ２２に、機器側コネクタが挿入接続される。このようなコネクタ２２は、機器ケース１１の内外方向における長さ（コネクタの全長）が短い。つまり、このコネクタ２２は、長さが例えば特許文献１に示す従来のコネクタと比べて短縮されている。
【００２５】
以上記述したように、本実施形態によれば、以下の効果を奏する。
（１）コネクタ２２のハウジング３１は、対象物としての機器ケース１１の取付孔１１Ｘに嵌め入れられる固定部４１と、固定部４１の内側端面４１ｂから突出する角筒状のフード部４２とを有している。固定部４１の外周面には全周に亘って装着溝４１ａが形成されている。装着溝４１ａに装着されたシールリング３５により、取付孔１１Ｘと固定部４１との間が液密とされている。
【００２６】
固定部４１には収容凹部４３が形成されている。収容凹部４３とフード部４２の内側部分は、機器ケース１１側のコネクタが挿入されるコネクタ結合室５１を形成する。複数の端子３２は、収容凹部４３の底面４３ｂから機器ケース１１の内側に向かって突出するようにハウジング３１に固定されている。装着溝４１ａは、複数の端子３２の延在方向と直交する方向から視て、収容凹部４３の底面４３ｂから突出する端子３２の部分と重なるように設けられている。
【００２７】
機器側コネクタは、収容凹部４３の底面４３ｂから突出する端子３２の部分に接続されるように、コネクタ結合室５１に挿入される。従って、取付孔１１Ｘに嵌め入れられた固定部４１の収容凹部４３まで機器ケース１１側のコネクタが挿入されるため、フード部４２が短くてよい。これにより、コネクタ２２の長さを短くすることができる。
【００２８】
尚、上記各実施形態は、以下の態様で実施してもよい。
・上記実施形態は、制御ユニット１２のハウジング２１と一体としたコネクタ２２を示した。これに対し、コネクタ２２を単体として形成してもよい。また、コネクタ２２を他のユニットのハウジングと一体的に形成してもよい。
【００２９】
・上記実施形態に対し、ハウジング３１、端子３２の形状を適宜変更してもよい。例えば、図２に示す隔壁４４ａ，４４ｂの長さを短くする、隔壁４４ａ，４４ｂを分割して形成する、等適宜変更してもよい。また、隔壁４４ａ，４４ｂを省略してもよい。
【符号の説明】
【００３０】
２…コネクタ、３１…ハウジング、３２…端子、４３…収容凹部、４３ａ…内側側面、４１…固定部、４１ａ…装着溝、４１ｂ…内側端面、４２…フード部、４２ａ…内側側面。
【図１】
2018107017.tif 000003
【図２】
2018107017.tif 000004
【図３】
2018107017.tif 000005
【図４】
2018107017.tif 000006